(57)【特許請求の範囲】
【請求項１】
カードを紙面方向に沿って出し入れ可能に案内する一対のガイド部を備えた略偏平な第１及び第２のケース部材を設けるとともに、これら各ケース部材の一端側を連続部として形成し、
前記第１及び第２のケース部材の前記連続部と反対側を自由端とし、この自由端側には前記ガイド部間に収納されたカードの抜け止め部が形成され、
前記第１及び第２のケース部材の何れか一方の自由端側領域は、前記連続部と反対側となる外側に突出可能に設けられているとともに、この自由端側領域は突出した状態で屈曲若しくは回転可能に設けられていることを特徴とするカードケース。
【請求項２】
カードを紙面方向に沿って出し入れ可能に案内する一対のガイド部を備えた略偏平な第１及び第２のケース部材を設けるとともに、これら各ケース部材の一端側を連続部として形成し、
前記第１及び第２のケース部材の前記連続部と反対側を自由端とし、この自由端側には前記ガイド部間に収納されたカードの抜け止め部が形成され、
前記第１及び第２のケース部材の何れか一方の自由端側領域は、前記連続部と反対側となる外側に突出可能に設けられているとともに、この自由端側領域は突出した状態で屈曲若しくは回転可能に設けられ、
前記突出した自由端側領域を回転させたときに、前記カードの内方端をケース部材の面から浮き上がらせて当該カードを検索可能としたことを特徴とするカードケース。
【請求項３】
前記連続部を支点として各ケース部材が開閉可能に設けられていることを特徴とする請求項１又は２記載のカードケース。
【発明の詳細な説明】
【０００１】
【発明の属する技術分野】
本発明はカードケースに係り、更に詳しくは、未記入のカードと記入済みカードとを別々に収納できるとともに、記入済みのカードの内容を容易に検索することのできるカードケースに関する。
【０００２】
【従来の技術】
従来より、平面形状が略方形となるメモ用紙等のカードが市販されている。このカードは、偏平なケースに収納され、使用に際して一枚ずつ取り出して所要の筆記を行うものとなっている。
【０００３】
【発明が解決しようとする課題】
しかしながら、従来のケースでは、記入済みのカードと、未記入のカードとを別々に収納する区分された領域がなく、記入済みのカードと未記入のカードとが混在した状態で収納されているというのが実情である。しかも、この場合、重なり合うカードの最上位に記入済みのカードが収納されているのが殆どであるため、未記入のカードを取り出すときに、直ちにそれを取り出すことができないという不都合がある。
【０００４】
また、従来のカードケースは、記入済みのカードの中から特定のカードを取り出す必要があるときに、全てのカードをケースから取り出しておき、これを一枚ずつ捲り操作して検索しなければならないという不都合もある。
【０００５】
【発明の目的】
本発明は、このような不都合に着目して案出されたものであり、その目的は、未記入のカードと記入済みカードとを別々の領域に収納可能として使用上の利便性を図ることのできるカードケースを提供することにある。
【０００６】
本発明の他の目的は、記入済みのカードの中から特定のカードを取り出す際の検索容易性も確保することのできるカードケースを提供することにある。
【０００７】
【課題を解決するための手段】
前記目的を達成するため、本発明は、カードを紙面方向に沿って出し入れ可能に案内する一対のガイド部を備えた略偏平な第１及び第２のケース部材を設けるとともに、これら各ケース部材の一端側を連続部として形成し、
前記第１及び第２のケース部材の前記連続部と反対側を自由端とし、この自由端側には前記ガイド部間に収納されたカードの抜け止め部が形成され、
前記第１及び第２のケース部材の何れか一方の自由端側領域は、前記連続部と反対側となる外側に突出可能に設けられているとともに、この自由端側領域は突出した状態で屈曲若しくは回転可能に設けられる、という構成を採っている。このような構成とすることにより、例えば、第１のケース部材に未記入のカードを収納しておき、最上位にある一枚のカードに所要のメモを行った後、これを第１のケース部材から取り出して第２のケース部材にスライド操作で収納することができる。このような使用態様では、記入済みのカードを検索するときに、未記入のカードが混在しないこととなるため、効率的な検索を行うことが可能となる。しかも、第１のケース部材には、未記入のカードのみが収納されているため、常に最上位にあるカードにメモを取ることができる。また、第１及び第２のケース部材の開閉時や、携帯時にカードが不用意に抜け出る虞を防止することができる。更に、カードの内方端側をケース部材の面から浮き上がらせた状態で「ぱらぱら」と捲ることができ、検索を一層容易に行うことができる。
また、本発明は、カードを紙面方向に沿って出し入れ可能に案内する一対のガイド部を備えた略偏平な第１及び第２のケース部材を設けるとともに、これら各ケース部材の一端側を連続部として形成し、
前記第１及び第２のケース部材の前記連続部と反対側を自由端とし、この自由端側には前記ガイド部間に収納されたカードの抜け止め部が形成され、
前記第１及び第２のケース部材の何れか一方の自由端側領域は、前記連続部と反対側となる外側に突出可能に設けられているとともに、この自由端側領域は突出した状態で屈曲若しくは回転可能に設けられ、
前記突出した自由端側領域を回転させたときに、前記カードの内方端をケース部材の面から浮き上がらせて当該カードを検索可能とする、という構成も採用される。
【０００８】
【発明の実施の形態】
本発明におけるカードケースは、前記連続部を支点として各ケース部材が開閉可能に設けられる、という構成を採ることが好ましい。これにより、ケース部材を閉塞して全体をコンパクトにすることができる一方、見開き状態にしてカードの移し替えを容易に行うことができる。
【００１１】
【実施例】
以下、本発明のカードケースの実施例を図面を参照しながら説明する。
【００１２】
図１には、本実施例に係るカードケースの閉塞時の概略斜視図が示され、図２（Ａ）には、前記カードケースを開いたときの概略斜視図が示されている。これらの図において、カードケース１０は、図１中上面側に位置する第１のケース部材１１と、下面側に位置する第２のケース部材１２と、これら各ケース部材１１，１２を相互に連結して連続部１３を形成する綴じリング１４とを備えて構成されている。
【００１３】
第１のケース部材１１は、平面視略長方形状に設けられるとともに一端側に綴じリング１４の挿入穴１５Ａが形成されたカバー面１５と、このカバー面１５の内面側に固定されて未記入のカードＣ１を受容する受け面１６と、この受け面１６の短寸幅方向両側に設けられた一対のガイド部１７とにより構成されている。カバー面１５は、本実施例では硬質の紙片が採用されている一方、受け面１６とガイド部１７は、樹脂材料による一体成形品が採用され、この成形品をカバー面１５に貼着することによって第１のケース部材１１が形成されている。
【００１４】
前記ガイド部１７は、図２（Ｂ）に示されるように、受け面１６の内面側に位置する起立部２０と、この起立部２０の上端から略水平方向内側に連なる上片２１とからなり、この上片２１と受け面１６との隙間に、未記入のカードＣ１の短寸幅方向両側を受け入れて当該カードＣ１の紙面直交方向への脱落を防止するようになっている。また、第１のケース部材１１の自由端側となる各ガイド部１７の端部には、カードＣの面方向への移動を規制する抜け止め部２２が形成されている。
【００１５】
前記第２のケース部材１２は、図３ないし図６に示されるように、第１のケース部材１１と同様に、一端側に綴じリング１４の挿入穴２５Ａが形成されたカバー面２５と、このカバー面２５の内面側に固定されて記入済みのカードＣ２を受容する受け面２６と、この受け面２６の短寸幅方向両側に設けられた一対のガイド部２７とにより構成されている。
【００１６】
前記ガイド部２７は、図７に示されるように、受け面２６の内面側に位置する一対の起立部３０と、前記連続部１３近傍において、各起立部２３の上部内縁側に略水平に連なって相互に向き合うように設けられた舌片３１とにより構成され、この舌片３１により受け面２６上に収納された記入済みのカードＣ２の紙面直交方向への脱落若しくは浮き上がりを規制するようになっている。
【００１７】
前記受け面２６は、図５ないし図７に示されるように、固定側受け面３５と、自由端側の一定領域をなすスライド受け面３６とにより構成されている。固定側受け面３５は、裏面側中央部領域が、カバー面２５との間に平面視略コ字状の広がりとなる隙間３７を形成する段付きの板厚形状に設けられ、この隙間３７の中央部に、平面視略コ字状のストッパ３８が配置されている。この一方、スライド受け面３６は、固定側受け面３５の右端側に位置するスライド受け面本体４０と、このスライド受け面本体４０の内方端に連なって設けられるとともに、前記隙間３７内に位置して長手方向に沿って移動可能な二枚のスライド片部４１と、これらスライド片部４１の内方端を相互に連結するとともに、前記ストッパ３８の内方（連続部１３側）端縁によってスライド受け面３６の引き出し限を決定する連結片部４３とを備えて構成されている。ここで、スライド片部４１の相対する内縁部分には、突部４１Ａがそれぞれ形成されており、こららの突部４１Ａは、前記コ字状のストッパ３８の外縁部分に形成された突部３８Ａにクリック動作をもって引っ掛かり可能に設けられている。
【００１８】
前記スライド受け面本体４０における図５中右端には、収納される記入済みのカードＣ２を連続部１３と反対側となる外側に抜け出るのを規制する抜け止め部４５が形成されている。また、抜け止め部４５と前記舌片３１とにより、記入済みのカードＣ２を収納したときに、当該カードＣ２の紙面直交方向への脱落若しくは浮き上がりを規制するようになっている。スライド受け面本体４０は、図８及び図９に示されるように、外側に引き出された状態で、屈曲可能となるように設けられている。
【００１９】
なお、第２のケース部材１２におけるカバー面２５は、図４に示されるように、自由端側に切欠部４６が形成された平面形状をなし、この切欠部４６内にスライド受け面本体４０が表出するように設けられ、これにより、スライド受け面本体４０を容易に引き出しできるようになっている。
【００２０】
以上の構成において、本実施例におけるカードケース１０は、第１のケース部材１１側に未記入のカードＣ１が複数枚収納される。このカードＣ１にメモを行う場合には、当該カードＣ１が収納された状態で行えばよい。そして、筆記を完了した後のカードＣ１は、前記連続部１３側から抜き出すことができ、その後に、記入済みカードＣ２として、当該カードＣ２を第２のケース部材１２内にスライド操作で差し込めばよい。この差し込みは、連続部１３側から第２のケース部材１２の自由端側に向かうスライド操作により行われる。
【００２１】
このようにして第２のケース部材１２に収納された記入済みのカードＣ２は、前記舌片３１と、抜け止め部４５によって浮き上がりが規制される状態となる。第２のケース部材１２に記入済みのカードＣ２が複数枚収納された後に、当該カードＣ２の中から特定のカードＣ２を検索して取り出すときは、図８及び図９に示されるように、スライド受け面２６を引き出してこれを回転する方向に角度変位させて行うことができる。この引き出しにより、記入済みのカードＣ２は、舌片３１の位置から外れるようになり、従って、カードＣ２を「ぱらぱら」と捲り操作することができる。そして、特定のカードＣ２が見つかったときに、これを図９中矢印方向に引き出せばよい。
【００２２】
検索と取り出しが終わった場合には、スライド受け面３６を略水平姿勢に戻した後に、これを固定側受け面３５側に押し込めばよく、これによって、記入済みのカードＣは、舌片３１下に位置して再び浮き上がり防止されることとなる。
【００２３】
従って、このような実施例によれば、未記入のカードＣ１と記入済みのカードＣ２とを区別して収納できるため、未記入のカードＣ１を常にメモ可能な位置に保つことができる一方、記入済みのカードＣ２の検索も容易に行えるという効果を得る。
【００２４】
なお、本発明に係るカードケース１０は前記実施例に限定されるものではなく、例えば、図１０に示されるように、ガイド部２７にスリット穴若しくは溝５０を設けておく一方、スライド受け面３６の側端に突起５１を設け、この突起がスリット穴若しくは溝５０に嵌合するように組み合わせて引き出し及び回転を可能とする構成も採用することができる。
【００２５】
また、前記実施例では、各ケース部材１１，１２が連続部１３位置を支点として開閉可能としたが、この開閉を行うことなく各ケース部材１１，１２が略同一平面内に連なるタイプのものとしてもよい。
【００２６】
また、前記実施例では綴じリング１４を用いて連続部１３を構成したが、第１及び第２のケース部材１１，１２間に一体的に連なる背表紙を設けることによって連続部１３とすることもできる。
【００２７】
【発明の効果】
以上説明したように、本発明によれば、ガイド部を備えた第１及び第２のケース部材を相互に連結して各ケース部材が開閉可能に設けられる構成としたから、第１のケース部材に未記入のカードを収納しておき、最上位にある一枚のカードに所要のメモを行った後、これを第１のケース部材から取り出して第２のケース部材にスライド操作で収納することで、区分された収納を実現することができる。また、このような使用態様では、記入済みのカードを検索するときに、未記入のカードが混在しないこととなるため、効率的な検索を行うことが可能となる。しかも、第１のケース部材には、未記入のカードのみが収納されているため、常に最上位にあるカードにメモを行うことができる。
【００２８】
また、前記第１及び第２のケース部材の自由端側にカードの抜け止め部を形成した構成により、第１及び第２のケース部材の開閉時や、携帯時にカードが不用意に抜け出る虞を防止することができる。
【００２９】
更に、前記第１及び第２のケース部材の何れか一方の自由端側を外側に突出可能に設け、且つ、突出領域が屈曲若しくは回転可能となるように設けられた構成によれば、カードの一端側を指先で挟み込んだ状態でカードの内方端側を「ぱらぱら」と捲ることができ、当該カードの検索を一層容易に行うことができる。
【図面の簡単な説明】
【図１】実施例に係るカードケースの概略斜視図。
【図２】（Ａ）は前記カードケースを開いた状態を示す概略斜視図、（Ｂ）は（Ａ）のＡ−Ａ線に沿う断面図。
【図３】第２のケース部材の右端面図
【図４】第２のケース部材をカバー面から見た平面図。
【図５】第２のケース部材を内面側から見た平面図。
【図６】スライド受け面を引き出した状態を示す平面図。
【図７】図５のＢ−Ｂ線に沿う断面図。
【図８】スライド受け面を引き出した状態を示す概略斜視図。
【図９】スライド受け面を回転させた状態を示す側面図。
【図１０】（Ａ），（Ｂ），（Ｃ）は、前記実施例の変形例を示す側面図。
【符号の説明】
１０  カードケース
１１  第１のケース部材
１２  第２のケース部材
１３  連続部
１７  ガイド部
２２  抜け止め部
２７  ガイド部
４５  抜け止め部
Ｃ１  未記入のカード
Ｃ２  記入済みのカード
【図１】
0003650828.tif 000002
【図２】
0003650828.tif 000003
【図３】
0003650828.tif 000004
【図４】
0003650828.tif 000005
【図５】
0003650828.tif 000006
【図６】
0003650828.tif 000007
【図７】
0003650828.tif 000008
【図８】
0003650828.tif 000009
【図９】
0003650828.tif 000010
【図１０】
0003650828.tif 000011